(57)【特許請求の範囲】
【請求項１】
固定スクロール及び旋回スクロールを備えるスクロール圧縮要素と、このスクロール圧縮要素を駆動する電動機と、前記スクロール圧縮要素及び前記電動機を収容する密閉容器と、前記固定スクロールに形成された吸入ポート及び吐出ポートと、前記吸入ポートに接続された吸入パイプと、前記密閉容器に固定され前記固定スクロールの吐出ポートから流出する吐出ガスを圧縮機外部に導く吐出パイプを備える密閉形スクロール圧縮機であって、
前記固定スクロールにおける前記吐出ポートの出口側を覆うように該固定スクロールに設けられ、前記吐出ポートから吐出される吐出ガスの吐出空間を形成すると共に、該吐出空間に吐出された吐出ガスを外周側に導く吐出ガス流路を形成している吐出ガス流出部材を備え、
この吐出ガス流出部材の外周面と前記密閉容器の内壁面との間に円環形状の吐出ガス旋回領域を形成し、前記吐出ガス流出部材の吐出ガス流路は、前記吐出ガス旋回領域に吐出ガスを旋回運動させるように流出させる形状とし、
前記吐出ガス旋回領域の上部には、この吐出ガス旋回領域の吐出ガスを前記密閉容器の中心側方向に導くバッフル板が設けられ、
前記バッフル板はリング状に形成され、前記吐出ガス旋回領域の吐出ガスは、前記バッフル板の外方端側から前記密閉容器の中心側に向けて流出するように構成されていることを特徴とする密閉形スクロール圧縮機。
【請求項２】
請求項１に記載の密閉形スクロール圧縮機において、前記密閉容器の底部に潤滑油を保持する油溜りが設けられ、前記吐出ガス旋回領域の下部の前記固定スクロール外周部には、油戻し空間が形成され、この油戻し空間下部に前記密閉容器底部の前記油溜り側に潤滑油を導く油戻し通路が設けられていることを特徴とする密閉形スクロール圧縮機。
【請求項３】
請求項１に記載の密閉形スクロール圧縮機において、前記バッフル板は、前記吐出ガス旋回領域を上昇する吐出ガスを前記密閉容器の中心側方向に導くリング状部材と、このリング状部材の外周側に設けられた円筒部材を一体化して構成されていることを特徴とする密閉形スクロール圧縮機。
【請求項４】
請求項３に記載の密閉形スクロール圧縮機において、前記円筒部材を前記密閉容器に固定することにより、前記バッフル板を固定していることを特徴とする密閉形スクロール圧縮機。
【請求項５】
請求項３に記載の密閉形スクロール圧縮機において、前記リング状部材を前記固定スクロールに固定することにより、前記バッフル板を固定していることを特徴とする密閉形スクロール圧縮機。
【請求項６】
請求項１に記載の密閉形スクロール圧縮機において、前記バッフル板の径方向の幅寸法をｗ、前記吐出ガス旋回領域の幅寸法をＬとしたとき、
０．４≦ｗ／Ｌ≦１．０
となるように構成していることを特徴とする密閉形スクロール圧縮機。
【請求項７】
請求項１〜６の何れか一項に記載の密閉形スクロール圧縮機において、前記バッフル板の内端側と、前記吐出ガス流出部材との間の開口高さ寸法をｈ、前記吐出ガス旋回領域の幅寸法をＬとしたとき、
０．４≦ｈ／Ｌ≦０．７
となるように構成していることを特徴とする密閉形スクロール圧縮機。
【請求項８】
固定スクロール及び旋回スクロールを備えるスクロール圧縮要素と、このスクロール圧縮要素を駆動する電動機と、前記スクロール圧縮要素及び前記電動機を収容する密閉容器と、前記固定スクロールに形成された吸入ポート及び吐出ポートと、前記吸入ポートに接続された吸入パイプと、前記密閉容器に固定され前記固定スクロールの吐出ポートから流出する吐出ガスを圧縮機外部に導く吐出パイプを備える密閉形スクロール圧縮機であって、
前記固定スクロールにおける前記吐出ポートの出口側を覆うように該固定スクロールに設けられ、前記吐出ポートから吐出される吐出ガスの吐出空間を形成すると共に、該吐出空間に吐出された吐出ガスを外周側に導く吐出ガス流路を形成している吐出ガス流出部材を備え、
この吐出ガス流出部材の外周面と前記密閉容器の内壁面との間に円環形状の吐出ガス旋回領域を形成し、前記吐出ガス流出部材の吐出ガス流路は、前記吐出ガス旋回領域に吐出ガスを旋回運動させるように流出させる形状とし、
前記吐出ガス旋回領域の上部には、この吐出ガス旋回領域の吐出ガスを前記密閉容器の中心側方向に導くバッフル板が設けられ、
前記吐出ガス流出部材における前記吐出空間の内壁に、吐出ガス流出開始点を定め、この点と、この点から前記密閉容器の中心を通る直線が前記密閉容器の内壁に接する点とを結ぶ線分を直径とする円弧Ｒｏにより、前記吐出ガス流路を形成する一方の曲線とし、前記吐出ガス流路を形成するもう一方の曲線は、前記一方の曲線の円弧Ｒｏよりも溝幅だけ小さい半径であって、前記円弧Ｒｏと同一中心の円弧Ｒｉにより決められた円弧とし、これらの円弧Ｒｏ及びＲｉにより前記吐出ガス流路が形成されていることを特徴とする密閉形スクロール圧縮機。
【請求項９】
固定スクロール及び旋回スクロールを備えるスクロール圧縮要素と、このスクロール圧縮要素を駆動する電動機と、前記スクロール圧縮要素及び前記電動機を収容する密閉容器と、前記固定スクロールに形成された吸入ポート及び吐出ポートと、前記吸入ポートに接続された吸入パイプと、前記密閉容器に固定され前記固定スクロールの吐出ポートから流出する吐出ガスを圧縮機外部に導く吐出パイプを備える密閉形スクロール圧縮機であって、
前記固定スクロールにおける前記吐出ポートの出口側を覆うように該固定スクロールに設けられ、前記吐出ポートから吐出される吐出ガスの吐出空間を形成すると共に、該吐出空間に吐出された吐出ガスを外周側に導く吐出ガス流路を形成している吐出ガス流出部材を備え、
この吐出ガス流出部材の外周面と前記密閉容器の内壁面との間に円環形状の吐出ガス旋回領域を形成し、前記吐出ガス流出部材の吐出ガス流路は、前記吐出ガス旋回領域に吐出ガスを旋回運動させるように流出させる形状とし、
前記吐出ガス旋回領域の上部には、この吐出ガス旋回領域の吐出ガスを前記密閉容器の中心側方向に導くバッフル板が設けられ、
前記吐出ガス流出部材の前記吐出空間は、前記吐出ガス流出部材を固定している固定ボルトのボルト穴周辺と、吸入パイプ貫通孔の周辺だけを残して、前記吐出空間の容積をできるだけ拡大して形成し、前記吐出ガス流路は前記ボルト穴の外周側に形成していることを特徴とする密閉形スクロール圧縮機。
【請求項１０】
圧縮機、凝縮器、膨張装置及び蒸発器を冷媒配管で接続して冷凍サイクルを構成している冷凍空調装置において、前記冷凍サイクルの冷媒としてＲ３２を用いると共に、前記圧縮機として請求項１に記載の密閉形スクロール圧縮機を使用していることを特徴とする冷凍空調装置。
【発明の詳細な説明】
【技術分野】
【０００１】
本発明は、密閉形スクロール圧縮機及び冷凍空調装置に関し、特に空気調和機や冷凍機等の冷凍サイクルに使用される密閉形スクロール圧縮機及びこの密閉形スクロール圧縮機を備えている冷凍空調装置に係わるものである。
【背景技術】
【０００２】
密閉形スクロール圧縮機は、スクロール圧縮要素と、このスクロール圧縮要素を駆動する電動機と、前記スクロール圧縮要素及び前記電動機を収容する密閉容器と、前記固定スクロールに形成された吸入ポート及び吐出ポートと、前記吸入ポートに接続された吸入パイプと、前記密閉容器に固定され前記固定スクロールの吐出ポートから流出する吐出ガスを圧縮機外部に導く吐出パイプなどを備えている。
【０００３】
前記スクロール圧縮要素は、端板（鏡板）面に直立する渦巻き状のスクロールラップを有する固定スクロールと旋回スクロールをその主要構成部品として構成されている。このスクロール圧縮要素においては、旋回スクロールが固定スクロールに対して相対的に自転せずに略一定半径の公転運動をすることにより、両者のスクロールラップ間に形成される作動室の容積を縮小させ、作動流体を圧縮するものである。また、前記密閉形スクロール圧縮機は、前記密閉容器内の圧力が圧縮機の吐出圧力（高圧）になっている高圧タイプの密閉形スクロール圧縮機となっている。
【０００４】
前記スクロール圧縮要素における各摺動部などの潤滑や、前記電動機の冷却を行うために、前記作動流体に少量の潤滑油を混入した状態で、この作動流体は前記スクロール圧縮要素に吸入され、圧縮されて吐出される。作動流体が圧縮機の密閉容器から外部に吐出される際、前記潤滑油の一部が作動流体に混入されるが、圧縮機の信頼性を確保し、冷凍空調装置の性能向上を図るためには、圧縮機から外部に吐出される作動流体中の潤滑油の割合（オイルレート）をできるだけ低く抑えることが望まれている。
【０００５】
近年、冷凍空調装置の小型化やコスト低減を図るため、圧縮機は小型・高速化される傾向にある。この小型・高速化を実現するためにも、圧縮機の前記オイルレート低減は重要である。また、最近では、地球温暖化防止の観点から、冷凍空調装置の冷媒として、従来のＲ４１０Ａ冷媒に代わって、温暖化係数の小さいＲ３２冷媒が注目されてきている。
【０００６】
なお、外部に吐出される作動流体中の潤滑油の割合を低減するものとしては、特開２００７−３１５３６６号公報（特許文献１）に記載されたものなどがある。この特許文献１のものには、密閉形のスクロール圧縮機において、吐出室と吐出配管の間に、冷媒に含まれる潤滑油を分離する遠心式の油分離手段を備えたものが記載されている。また、前記油分離手段は、中空体部、冷媒入口部及び油出口部を設け、吐出配管の入口には、この油分離手段を通過した冷媒が導かれるように構成されている。
【先行技術文献】
【特許文献】
【０００７】
【特許文献１】特開２００７−３１５３６６号公報
【発明の概要】
【発明が解決しようとする課題】
【０００８】
上記特許文献１のものでは、一般的な遠心式の油分離器と同様の油分離手段を用いて、これを密閉容器内に配設しているため、前記油分離手段内での冷媒（吐出ガス）と分離された潤滑油の再混合を防ぐためには、油分離手段の寸法、即ち前記中空体部の径と高さ寸法を大きくする必要があり、また油分離手段の大形化に伴い、前記密閉容器も大形化するため、スクロール圧縮機が大形化し、製造コストも上昇する課題がある。
【０００９】
また、この特許文献１のものでは、分離した潤滑油をハウジング底部の油溜りまで速やかに回収することについては配慮されておらず、圧縮機から外部に吐出される作動流体中の潤滑油の割合（オイルレート）を低く抑えることはできず、十分な油流出防止効果を得ることができない課題もある。
【００１０】
本発明の目的は、大形化を抑制しつつ、圧縮機外部への油流出防止効果を向上することのできる密閉形スクロール圧縮機及び冷凍空調装置を得ることにある。
【課題を解決するための手段】
【００１１】
上記目的を達成するために、本発明は、固定スクロール及び旋回スクロールを備えるスクロール圧縮要素と、このスクロール圧縮要素を駆動する電動機と、前記スクロール圧縮要素及び前記電動機を収容する密閉容器と、前記固定スクロールに形成された吸入ポート及び吐出ポートと、前記吸入ポートに接続された吸入パイプと、前記密閉容器に固定され前記固定スクロールの吐出ポートから流出する吐出ガスを圧縮機外部に導く吐出パイプを備える密閉形スクロール圧縮機であって、前記固定スクロールにおける前記吐出ポートの出口側を覆うように該固定スクロールに設けられ、前記吐出ポートから吐出される吐出ガスの吐出空間を形成すると共に、該吐出空間に吐出された吐出ガスを外周側に導く吐出ガス流路を形成している吐出ガス流出部材を備え、この吐出ガス流出部材の外周面と前記密閉容器の内壁面との間に円環形状の吐出ガス旋回領域を形成し、前記吐出ガス流出部材の吐出ガス流路は、前記吐出ガス旋回領域に吐出ガスを旋回運動させるように流出させる形状とし、前記吐出ガス旋回領域の上部には、この吐出ガス旋回領域の吐出ガスを前記密閉容器の中心側方向に導くバッフル板が設けられていることを特徴とする。
【００１２】
本発明の他の特徴は、圧縮機、凝縮器、膨張装置及び蒸発器を冷媒配管で接続して冷凍サイクルを構成している冷凍空調装置において、前記冷凍サイクルの冷媒としてＲ３２を用いると共に、前記圧縮機として上記の密閉形スクロール圧縮機を使用していることにある。
【発明の効果】
【００１３】
本発明によれば、大形化を抑制しつつ、圧縮機外部への油流出防止効果を向上することのできる密閉形スクロール圧縮機及び冷凍空調装置を得ることができる効果がある。
【図面の簡単な説明】
【００１４】
【図１】本発明の密閉形スクロール圧縮機の実施例１を示す縦断面図である。
【図２】図１の要部拡大断面図である。
【図３】図２のＡ−Ａ線矢視断面図である。
【図４】図２のＢ−Ｂ線矢視断面図である。
【図５】図２に示す吐出ガス旋回領域付近を拡大して示す要部拡大断面図である。
【図６】本発明の実施例１おける吐出ガス旋回領域の幅に対するバッフル板の幅の比と、油循環率比との関係の実験結果を示す線図である。
【図７】本発明の実施例１おける吐出ガス旋回領域の幅に対するバッフル板の開口高さの比と、油循環率比との関係の実験結果を示す線図である。
【図８】本発明の実施例１における吐出ガス流出部材の構成を説明する図で、吐出ガス流出部材の部分の平面断面図である。
【図９】図８に示し吐出ガス流出部材の他の例を示す図で、図８に相当する図である。
【図１０】本発明の密閉形スクロール圧縮機の実施例２を示す縦断面図で、図２に相当する図である。
【図１１】図１０の要部拡大図である。
【図１２】図１０のＣ−Ｃ線矢視断面図である。
【図１３】図１０に示すバッフル板の斜視図である。
【図１４】本発明の密閉形スクロール圧縮機を備えた冷凍空調装置を示す冷凍サイクル構成図である。
【発明を実施するための形態】
【００１５】
以下、本発明の密閉形スクロール圧縮機及び冷凍空調装置の具体的実施例を図面を用いて説明する。各図において同一符号を付した部分は同一或いは相当する部分を示している。
【実施例１】
【００１６】
本発明の密閉形スクロール圧縮機３０の実施例１を図１〜図９を用いて説明する。  
まず、図１を用いて本実施例１における密閉形スクロール圧縮機の全体構成を説明する。図１は本発明の密閉形スクロール圧縮機の実施例１を示す縦断面図である。
【００１７】
図１において、１は密閉容器で、この密閉容器１の内部には、スクロール圧縮要素２０と、このスクロール圧縮要素２０を駆動する電動機７などが収容されている。前記スクロール圧縮要素２０は、固定スクロール２と旋回スクロール３をその主要部品としている。前記密閉容器１内は吐出ガスが導入される高圧の雰囲気となっている。また、前記旋回スクロール３の背面部には、高圧と低圧の中間の圧力に保たれる背圧室２１が区画されて形成されている。前記スクロール圧縮要素２０は、前記固定スクロール２及び旋回スクロール３の両方共、端板（鏡板）と、この端板から直立する渦巻き形状のスクロールラップなどから構成されている。
【００１８】
前記固定スクロール２には、スクロールラップ外周部に吸入ポート２ａが、前記スクロールラップの中心部には吐出ポート２ｂが設けられている。また、前記旋回スクロール３におけるスクロールラップとは反対側の面の中心部には旋回軸受３ａが設けられている。
【００１９】
４はクランク軸で、このクランク軸４の上端部は偏心部４ａとなっており、前記旋回スクロール２の前記旋回軸受３ａに、前記偏心部４ａが挿入されている。従って、前記クランク軸４が回転することにより、前記旋回スクロール２は前記偏心部４ａにより旋回運動を行うように構成されている。前記クランク軸４内には、給油穴４ｂが軸内部を貫通して形成されている。
【００２０】
５は、前記クランク軸４を、主軸受５ａを介して支持するフレームで、このフレーム５と前記旋回スクロール２の端板背面により前記背圧室２１が形成されている。前記主軸受５ａは前記フレーム５の中心に設けられている。５ｂは前記主軸受５ａ及び前記旋回軸受３ａの摺動部の潤滑を終えた潤滑油を回収し、前記密閉容器１の底部に形成された油溜り１７に油戻しパイプ１１を介して導く油戻し流路である。前記油戻しパイプ１１は前記フレーム５の油戻し流路５ｂに連結されている。６は、前記旋回スクロール３と前記フレーム５に係合され、前記旋回スクロール３の自転を防止して旋回運動をさせるためのオルダムリングである。
【００２１】
前記電動機７は、前記密閉容器１内に固定されたステータ７ａと、前記クランク軸４に固定されると共に前記ステータの中心に配置されているロータ７ｂを備え、電動機７を駆動することにより、ロータ７ｂが回転し、前記クランク軸４を回転駆動させる。８は、前記クランク軸４の前記偏心部４ａとは反対側の軸端を支持する副軸受で、この副軸受８は、前記密閉容器１内面に固定された副軸受フレーム９に、副軸受ハウジング９ａを介して取り付けられている。１０は前記クランク軸４の下端部に装着された給油ポンプで、前記クランク軸４が回転すると、この給油ポンプ１０のポンプ作用により、クランク軸４に形成された前記給油穴４ｂを通して、前記各軸受摺動部に潤滑油を供給する。
【００２２】
１２は、冷凍空調装置を構成する冷凍サイクルを流れる冷媒（以下、作動流体ともいう）を圧縮機の吸入ポート２ａに導くための吸入パイプで、この吸入パイプ１２は前記密閉容器１を貫通し、前記固定スクロール２の前記吸入ポート２ａに接続されている。１５は、前記冷凍サイクルに、圧縮した冷媒ガスを吐出するための吐出パイプで、前記密閉容器１を貫通し、前記固定スクロール２の吐出ポート２ｂから吐出された吐出ガスを、前記密閉容器１の外部に導く。なお、密閉容器１底部の前記油溜り１７には潤滑油が貯留されている。
【００２３】
１６は、前記旋回スクロール３の前記旋回軸受３ａを設けているボス部の下端と前記フレーム５との間をシールする背圧シール機構で、この背圧シール機構１６により、前記背圧室２１と、前記密閉容器１内の吐出ガス雰囲気の高圧部とをシールし、前記背圧室２１を、高圧（吐出圧力）と低圧（吸込圧力）の中間の圧力に保持するようにしている。
【００２４】
本実施例においては、前記固定スクロール２の上部には、該固定スクロール２の吐出ポート２ｂの出口側を覆う（囲む）ように設けられ、前記吐出ポート２ｂから吐出される吐出ガスの吐出空間（吐出空間）１ａを形成する円盤状の吐出ガス流出部材（旋回器）１３が固定ボルト１３ｃにより取り付けられている。この吐出ガス流出部材１３には、前記吐出空間１ａに吐出された吐出ガスを外周側に導く吐出ガス流路１３ａも形成されている。なお、前記吐出空間１ａに吐出された吐出ガスには潤滑油も混合されている。
【００２５】
また、前記吐出ガス流出部材１３の外周面と前記密閉容器１の内壁面との間には円環形状の吐出ガス旋回領域１ｂが形成されており、前記吐出ガス流路１３ａから出た流体は前記吐出ガス旋回領域１ｂを旋回し、吐出ガスから潤滑油を分離して、潤滑油を下方の油戻し空間１ｃに流し、吐出ガスは旋回しながら上昇する。前記吐出ガス旋回領域１ｂの上部には、この吐出ガス旋回領域１ｂから上昇する吐出ガスを前記密閉容器１の中心側方向に導くバッフル板１４が設けられている。
【００２６】
次に、図２〜図４を用いて、前記吐出ガス流出部材１３と前記バッフル板１４の構成を詳しく説明する。図２は図１の要部拡大断面図、図３は図２のＡ−Ａ線矢視断面図、図４は図２のＢ−Ｂ線矢視断面図である。
【００２７】
図２に一点鎖線で示すように、前記吐出ガス旋回領域１ｂは前記吐出ガス流出部材１３の外周面と前記密閉容器１の内壁面との間に形成され、この吐出ガス旋回領域１ｂは、図３に示すように、円環形状の空間に形成されている。
【００２８】
一方、前記吐出ガス流出部材１３には、前記吐出ガスの吐出空間１ａに吐出された流体をその外周側に導く前記吐出ガス流路１３ａが、図３に示すように複数（この例では３本）形成されている。この吐出ガス流路１３ａは、前記吐出空間１ａの流体が前記吐出ガス旋回領域１ｂに吐出されて旋回運動するように、円弧状などの曲線状の形状に構成されている。なお、１３ｂは、前記吸入パイプ１２を貫通させて前記固定スクロール２に接続させるための設けられている吸入パイプ貫通孔である。
【００２９】
前記バッフル板１４は、図２、図４に示すように、前記吐出ガス旋回領域１ｂの上部に配設され、前記吐出ガス旋回領域１ｂで旋回しながら上昇する吐出ガスを前記密閉容器１の中心側方向に導くリング状部材１４ａと、外周側の円筒部材１４ｂを一体化して構成されている。本実施例では、前記円筒部材１４ｂの部分を前記密閉容器１の上蓋内壁にスポット溶接等で固定することで、前記バッフル板１４を密閉容器１に固定している。
【００３０】
本実施例の密閉形スクロール圧縮機におけるガス圧縮動作について図１を用いて説明する。電動機７に通電することによりクランク軸４が回転し、クランク軸４の偏心部４ａにより、旋回スクロール３の中心は一定半径の公転運動をして、固定スクロール２と旋回スクロール３の両スクロールラップ間に形成される作動室が、その容積を縮小して作動流体の圧縮作用が行われる。冷凍サイクルを流れる作動流体（冷媒）は、吸入パイプ１２を通って前記作動室に流入する。この作動室で圧縮された作動流体は、固定スクロール２の中心部に設けられている吐出ポート２ｂから吐出ガスの吐出空間１ａを経て密閉容器１内に流出する。
【００３１】
次に、本実施例の密閉形スクロール圧縮機３０における各軸受の摺動部及びスクロール圧縮要素２０の摺動部の潤滑について説明する。密閉容器１の底部の油溜り１７に貯留されている潤滑油は、クランク軸４の回転により軸下端に設けられている給油ポンプ１０によって吸い上げられ、前記クランク軸４内部の給油穴４ｂを介して、副軸受８、主軸受５ａ、旋回軸受３ａの各軸受摺動部に供給される。密閉容器１下部の副軸受８に供給された潤滑油は副軸受８を潤滑後前記油溜り１７に回収される。
【００３２】
前記主軸受５ａ及び前記旋回軸受３ａに供給された潤滑油は、各々の軸受摺動部を潤滑した後、フレーム５の油戻し流路５ｂで合流し、油戻しパイプ１１を通して密閉容器１底部の油溜り１７に回収される。
【００３３】
前記スクロール圧縮要素２０における摺動部の潤滑は、旋回スクロール３の旋回軸受３ａを設けているボス部の下端面に凹設された給油ポケット（図示せず）により、背圧室２１内に潤滑油が定量供給され、これにより潤滑油が前記旋回スクロール３のオルダムリング６などの摺動部に供給され、潤滑が行なわれる。また、前記背圧室２１に供給された油は、背圧室２１内の圧力を調整する背圧制御弁（図示せず）を通して、前記作動室内に流入し、該作動室のシールや潤滑に供されて、その後作動流体と共に吐出ポート２ｂから吐出される。
【００３４】
密閉形スクロール圧縮機における性能や信頼性を確保し、性能向上を図るためには、圧縮機から吐出される作動流体中の潤滑油の割合（オイルレート）をできるだけ低く抑える必要がある。本実施例のように構成することにより、吐出ポート２ｂから流出する作動流体中の潤滑油を効果的に分離し、速やかに密閉容器１底部の油溜り１７に回収することができる。以下、図２〜図４を用いて、本実施例における油分離作用について説明する。
固定スクロール２の上部に配設された吐出ガス流出部材（旋回器）１３は、吐出ポート２ｂから吐出ガスの吐出空間１ａに流出した吐出ガスを、吐出ガス流路１３ａを通して吐出ガス流出部材１３の外周部（固定スクロール２の外周部も一部含む）と密閉容器１の内壁面.との間に区画された円環状の吐出ガス旋回領域１ｂに流出させて、吐出ガスに旋回運動を付与する。
【００３５】
吐出ポート２ｂから吐出される吐出ガスには、作動流体中に潤滑油が混入した気液二相の噴霧流の状態になっているが、前記吐出ガス流出部材（旋回器）１３の吐出ガス流路１３ａを通過する際に、噴霧流は旋回速度成分を付与され、前記吐出ガス旋回領域１ｂ内では、質量の大きい油滴は遠心力によって密閉容器１の内側壁に押し付けられて液膜流となり、前記吐出ガス旋回領域１ｂの内周側を流れる密度の小さいガスと分離される。
【００３６】
圧縮機のオイルレートを低減するためには前記吐出ガス旋回領域１ｂで分離された油とガスの混合をなくして、ガスのみを前記吐出ガス旋回領域１ｂから流出させ、吐出パイプ１５が設けられている吐出パイプ入口空間１ｄに導くようにしなければならない。
【００３７】
本実施例では、分離油の飛散を防止するために、前記吐出ガス旋回領域１ｂ上部に、吐出ガスの旋回運動を阻止しない形で、吐出ガスの流出方向を密閉容器１の中心側方向に導くバッフル板１４を配設している。即ち、前記吐出ガス流出部材１３から離間して前記吐出ガス旋回領域１ｂ上方を覆うように、前記密閉容器１に固定されたバッフル板１４は、リング状部材１４ａにより分離油及びガスの軸方向上方に向かう流れを阻止するが、吐出ガス自身の旋回運動を邪魔することがないため、遠心分離作用を継続した状態で、吐出ガスは前記リング状部材１３ａの内端側の開口から密閉容器１の中心側に向けて流出し、前記吐出パイプ入口空間１ｄに導かれる。
【００３８】
また、前記吐出ガス旋回領域１ｂで分離され、前記密閉容器１内壁面に液膜状態で付着した潤滑油は、重力の作用で油戻し空間１ｃに滴下し、この油戻し空間１ｃから、固定スクロール２の外周部及びフレーム５の外周部に軸方向に形成された油戻し通路１ｅを通って、前記密閉容器１底部の油溜り１７に回収される。
【００３９】
本発明者等の実験の結果、本実施例における上記油分離作用を更に向上するためには、分離油とガスとの混合を抑え、油滴の飛散を防止する前記バッフル板１４の適切な配設が重要であり、オイルレート（油循環率（ＯＣＲ：Oil Circulation Rate）で、圧縮機から外部に吐出される作動流体中の潤滑油の割合）低減に重要な役割を果たしていることが明らかになった。以下、図５〜図７を用いて、前記バッフル板１４の効果的な配設について説明する。
【００４０】
図５は図２に示す吐出ガス旋回領域付近を拡大して示す要部拡大断面図（吐出ガス流出部材とバッフル板との配設関係を説明する図）、図６は本発明の実施例１おける吐出ガス旋回領域の幅に対するバッフル板の幅の比と、油循環率比との関係の実験結果を示す線図、図７は本発明の実施例１おける吐出ガス旋回領域の幅に対するバッフル板の開口高さの比と、油循環率比との関係の実験結果を示す線図である。
【００４１】
図５において、Ｌは前記吐出ガス旋回領域１ｂの幅寸法で、吐出ガス流出部材１３の外周部と密閉容器１の内壁面との間の円環状空間の寸法である。また、ｗは前記バッフル板１４のリング状部材１４ａの部分における幅寸法（以下、単にバッフル板の幅寸法ともいう）、ｈは前記バッフル板１４の開口高さ寸法である。
【００４２】
図６は、前記リング状部材１４ａの幅寸法ｗを変化させて、オイルレート（ＯＣＲ）への影響を調べた実験結果を示している。  
この図６において、横軸はバッフル板幅寸法比ｗ／Ｌで、前記吐出ガス旋回領域１ｂの幅寸法Ｌに対する前記バッフル板幅寸法ｗの比である。縦軸は油循環率（ＯＣＲ）比で、油循環率が最も小さい値に対する比で表している。
【００４３】
この図６に示す実験結果から、前記吐出ガス旋回領域１ｂの幅寸法Ｌに対する前記バッフル板幅寸法ｗの比ｗ／Ｌを、
０．４≦ｗ／Ｌ≦１．０
の範囲に設定することにより、高いオイルレート低減効果が得られることがわかった。
【００４４】
図７は、前記バッフル板１４の開口高さ寸法ｈを変化させて、オイルレート（ＯＣＲ）への影響を調べた実験結果を示している。  
この図７において、横軸は開口高さ寸法比ｈ／Ｌで、前記吐出ガス旋回領域１ｂの幅寸法Ｌに対する前記バッフル板開口高さ寸法ｈの比である。縦軸は油循環率（ＯＣＲ）比で、油循環率が最も小さい値に対する比で表しており、規格化して無次元表示にしている。
【００４５】
この図７に示す実験結果から、前記吐出ガス旋回領域１ｂの幅寸法Ｌに対する前記バッフル板の開口高さ寸法ｈの比ｈ／Ｌを、
０．４≦ｈ／Ｌ≦０．７
の範囲に設定することにより、高いオイルレート低減効果が得られることがわかった。
【００４６】
次に、前記吐出ガス流出部材（旋回器）１３における前記吐出ガス流路１３ａの好ましい形状について図８を用いて説明する。図８は本発明の実施例１における吐出ガス流出部材の構成を説明する図で、吐出ガス流出部材の部分の平面断面図である。
【００４７】
吐出ガス流出部材１３の外周部（固定スクロール２の外周部も一部含む）と密閉容器１の内壁面間に区画された円環状空間である前記吐出ガス旋回領域１ｂでの吐出ガスの滑らかな旋回運動を実現するためには、前記吐出ガス流出部材１３に形成された吐出ガス流路１３ａの形状が重要となる。そこで、本実施例１における前記吐出ガス流路１３ａの好ましい形状について図８により説明する。
【００４８】
まず、前記吐出ガス流出部材１３の中央部に形成されている前記吐出ガスの吐出空間１ａの内壁に、吐出ガス流出開始点Ｐｉを定める。この点から密閉容器１の中心を通る直線が密閉容器１の内壁に接する点をＰｏとし、両者を結ぶ線分を直径とする円弧（半径Ｒｏ、中心Ｏｇ）により、吐出ガス流路１３ａを形成する一方の曲線が描かれる。もう一方の曲線は、吐出ガス流路１３ａの個数や溝断面積等を考慮して溝幅ｂを決めることにより半径Ｒｏと同一中心の半径Ｒｉ（＝Ｒｏ−ｂ）の円弧により決められる。このような円弧により前記吐出ガス流路１３ａを形成することにより、吐出ガス旋回領域１ｂに流出した吐出ガスは、密閉容器１の内壁面に接するように流れるので、滑らかな旋回運動を実現することができる。
【００４９】
図９は図８に示し吐出ガス流出部材の他の例を示す図で、図８に相当する図である。
【００５０】
この図９に示す吐出ガス流出部材１３は、吐出ガス流路１３ａの基本形状は図８で説明した形状を保ったまま、吐出ガスの吐出空間１ａの容積をできるだけ拡大したものである。このため、吐出ガスの吐出空間１ａ周囲の前記吐出ガス流出部材１３の部分をできるだけ薄肉に形成したものである。即ち、前記吐出ガス流出部材１３を固定している固定ボルト１３ｃのボルト穴周辺と、吸入パイプ貫通孔１３ｂの周辺だけを残して、前記吐出空間１ａを形成している。また、前記吐出ガス流路１３ａは前記ボルト穴の外周側に形成する。
【００５１】
このように構成することにより、吐出ポート２ｂから吐出ガスが流出する最初の空間である前記吐出ガスの吐出空間１ａの容積を拡大することができるから、前記吐出ガスの吐出空間１ａ内の圧力脈動を軽減することが可能となり、圧縮機の過圧縮損失を低減して圧縮機効率を向上することができる効果が得られる。
【００５２】
以上説明したように、本実施例１の密閉形スクロール圧縮機３０によれば、比較的簡単な構成で、オイルレートを低減して、外部（冷凍サイクルを構成している熱交換器や冷媒配管など）への油流出防止効果を大幅に向上することのできる密閉形スクロール圧縮機を得ることができる。この結果、密閉形スクロール圧縮機の大形化を抑制しつつ、圧縮機の性能向上並びに信頼性向上を図ることも可能となる。
【実施例２】
【００５３】
本発明の密閉形スクロール圧縮機の実施例２を、図１０〜図１３を用いて説明する。図１０は本発明の密閉形スクロール圧縮機の実施例２を示す縦断面図で、図２に相当する図、図１１は図１０の要部拡大図、図１２は図１０のＣ−Ｃ線矢視断面図、図１３は図１０に示すバッフル板の斜視図である。これらの図において、図１と同一符号を付したものは同一或いは相当する部分を示しており、上記実施例１と異なる部分を中心に説明する。
【００５４】
本実施例２が上述した実施例１と異なる部分は、図１０、図１１に示すように、バッフル板１４がスペーサ１４ｄを介して吐出ガス流出部材１３と共に、固定スクロール２の上部の端板部に固定ボルト１３ｃにより固定するようにしている点である。即ち、図１１の要部拡大図に示すように、前記バッフル板１４の円筒部材１４ｂは、実施例１のように、密閉容器１に直接固定されてはおらず、前記円筒部材１４ｂと前記密閉容器１の上蓋内壁面との間には微小すき間δが形成されている。このため、上記実施例１で説明したバッフル板１４に比べて、前記吐出ガス流出部材１３と前記バッフル板１４を、固定スクロールに取り付けて組立てた後、前記密閉容器１の上蓋を溶接で固定できるため、前記吐出ガス流出部材１３と前記バッフル板１４の組立精度が向上し、この組立精度に起因するオイルレートのばらつきを低減することができる。
【００５５】
また、本実施例２における前記バッフル板１４は、図１２及び図１３に示すように、リング状部材１４ａの内端から中心側に突き出した複数本（この例では４本）の取り付けアーム１４ｃを設け、これらの取り付けアーム１４ｃのそれぞれの先端部に取り付け穴１４ｃ´を形成している。固定ボルト１３ｃを、前記取り付け穴１４ｃ´と、前記吐出ガス流出部材１３に設けられたボルト穴に通して、前記固定スクロール１の端板部に固定することにより、前記吐出ガス流出部材１３と前記バッフル板１４を同時に固定スクロール２に固定することができる。他の構成は上記実施例１と同様である。
【００５６】
本実施例２によれば、前記取り付けアーム１４ｃは前記リング状部材１４ａの内端から中心側に突き出させて固定ボルト１３ｃで固定しているため、前記吐出ガス流出部材１３の外周面と前記密閉容器１の内壁面との間に形成されている吐出ガス旋回領域１ｂで旋回する吐出ガスの旋回運動を邪魔することはない。従って、遠心分離作用を継続して潤滑油を分離しつつ吐出ガスを吐出パイプ入口空間１ｄに導くことができるので、上記実施例１と同様に、分離油とガスとの混合を抑えることができ、これにより油滴の飛散が防止されて、圧縮機のオイルレートを低減することができる。
【実施例３】
【００５７】
本発明の実施例３を図１４により説明する。図１４は、本発明の密閉形スクロール圧縮機を備えた冷凍空調装置を示す冷凍サイクル構成図である。なお、図１４において、上述した図１と同一符号を付した部分は同一或いは相当する部分を示している。
【００５８】
図１４において、３０は図１に示すような本発明の密閉形スクロール圧縮機である。また、本実施例３に示す冷凍空調装置は、前記密閉形スクロール圧縮機３０、凝縮器３２、膨張弁３３、蒸発器３４などが、順次冷媒配管３５により接続されて、冷凍サイクルを構成している。なお、本実施例３においては、冷媒としてＲ３２を用いている。冷媒Ｒ３２は、冷凍空調装置において従来用いられてきた冷媒Ｒ４１０Ａより、地球温暖化係数（ＧＷＰ）が小さく、地球温暖化防止の観点から、近年注目されてきている冷媒である。
【００５９】
本実施例の冷凍空調装置における冷媒の流れについて説明する。  
密閉形スクロール圧縮機３０から吐出された高温、高圧の冷媒は、凝縮器３２に入って放熱し温度低下する。この凝縮器３２から出た冷媒は、膨張弁３３で低温、低圧の気液二相冷媒となって流出する。この膨張弁３３を出た気液二相冷媒は、前記蒸発器３４に入り、吸熱、ガス化して、前記密閉形スクロール圧縮機３０に戻り、再び圧縮されて、以下同様のサイクルが繰り返される。
【００６０】
これにより、前記冷凍空調装置が冷凍装置であれば、前記蒸発器３４で被冷却物を冷却する。前記冷凍空調装置が空調装置であれば、前記蒸発器３４で室内空気を冷却して冷房運転を行うか、或いは前記凝縮器３２で室内空気を加熱して暖房運転が為される。
【００６１】
本実施例３によれば、冷凍空調装置を構成している圧縮機として、本発明の密閉形スクロール圧縮機３０、即ち上記実施例１や２で説明したような密閉形スクロール圧縮機を用いているので、圧縮機３０から外部（冷凍サイクルを構成している前記凝縮器３２や蒸発器３４などの熱交換器、或いは前記冷媒配管など）への油流出防止を十分に行うことが可能になる。従って、冷凍空調装置の性能向上や信頼性向上を図ることができる。
【００６２】
以上説明した本発明の実施例によれば、固定スクロールにおける吐出ポートの出口側を覆うように該固定スクロールに設けられ、前記吐出ポートから吐出される吐出ガスの吐出空間を形成すると共に、該吐出空間に吐出された吐出ガスを外周側に導く吐出ガス流路を形成している円盤状の吐出ガス流出部材を備え、この吐出ガス流出部材の外周面と前記密閉容器の内壁面との間に円環形状の吐出ガス旋回領域を形成し、前記吐出ガス流路は吐出ガスを前記吐出ガス旋回領域で旋回運動するように流出させ、前記吐出ガス旋回領域の上部には、この吐出ガス旋回領域の吐出ガスを密閉容器の中心側方向に導くバッフル板が設けられているので、大形化を抑制しつつ、圧縮機外部への油流出防止効果を向上することのできる密閉形スクロール圧縮機及び冷凍空調装置を得ることができる。
【００６３】
また、前記バッフル板は、吐出ガスを、その旋回運動を阻止せずに上部に導き、密閉容器の中心に導くと共に、前記吐出ガス旋回領域の下部には油戻し空間と、この油戻し空間の潤滑油を密閉容器底部に導く油戻し通路を備えているので、吐出ガス自身の旋回運動による遠心作用でガスと油を効果的に分離することができると共に、分離油とガスの混合を抑制して油滴の飛散を軽減できる。従って、本実施例によれば、圧縮機外部への油の流出を防止し、性能及び信頼性に優れた高圧タイプの密閉形スクロール圧縮機が得られると共に、これを用いた冷凍空調装置の性能及び信頼性も向上することができる。
【００６４】
なお、本発明は上述した実施例に限定されるものではなく、様々な変形例が含まれる。また、ある実施例の構成の一部を他の実施例の構成に置き換えることが可能であり、ある実施例の構成に他の実施例の構成を加えることも可能である。  
更に、上記した実施例は本発明を分かりやすく説明するために詳細に説明したものであり、必ずしも説明した全ての構成を備えるものに限定されるものではない。
【符号の説明】
【００６５】
１…密閉容器、１ａ…吐出ガスの吐出空間（吐出空間）、１ｂ…吐出ガス旋回領域、
１ｃ…油戻し空間、１ｄ…吐出パイプ入口空間、１ｅ…油戻し通路、
２…固定スクロール、２ａ…吸入ポート、２ｂ…吐出ポート、
３…旋回スクロール、３ａ…旋回軸受、４…クランク軸、４ａ…偏心部、４ｂ…給油穴、
５…フレーム、５ａ…主軸受、５ｂ…油戻し流路、
６…オルダムリング、７…電動機、７ａ…ステータ、７ｂ…ロータ、
８…副軸受、９…副軸受フレーム、
１０…給油ポンプ、１１…油戻しパイプ、１２…吸入パイプ、
１３…吐出ガス流出部材（旋回器）、１３ａ…吐出ガス流路、
１３ｂ…吸入パイプ貫通孔、１３ｃ…固定ボルト、
１４…バッフル板、１４ａ…リング状部材、１４ｂ…円筒部材、
１４ｃ…取り付けアーム、１４ｃ’…取り付け穴、１４ｄ…スペーサ、
１５…吐出パイプ、１６…背圧シール機構、１７…油溜り、１８…ボルト、
２０…スクロール圧縮要素、２１…背圧室、
３０…密閉形スクロール圧縮機、３１…冷凍サイクル、３２…凝縮器、
３３…膨張弁、３４…蒸発器、３５…冷媒配管。
【図１】
0006655327.tif 000002
【図２】
0006655327.tif 000003
【図３】
0006655327.tif 000004
【図４】
0006655327.tif 000005
【図５】
0006655327.tif 000006
【図６】
0006655327.tif 000007
【図７】
0006655327.tif 000008
【図８】
0006655327.tif 000009
【図９】
0006655327.tif 000010
【図１０】
0006655327.tif 000011
【図１１】
0006655327.tif 000012
【図１２】
0006655327.tif 000013
【図１３】
0006655327.tif 000014
【図１４】
0006655327.tif 000015